(57)【要約】【課題】  ワ−クを研削中の砥石車のドレッシング時期を判別する方法。【解決手段】  左右方向に移動可能なＸ軸テ−ブル４上に載置されたワ−ク２と、前後方向（Ｙ軸方向）に移動可能で、かつ、上下方向（Ｚ軸方向）に昇降可能に備えられた砥石頭１０に保持された砥石車３の相対的な移動によりワ−クを研削加工する研削装置１を用い、砥石車とワ−クが接する研削加工点に向けて研削液をノズル３０より供給しながら研削加工中の砥石車のドレッシング時期を判別するに、砥石車保護カバ−１７の前面に貼付したサ−モグラフペ−パ−２０に現れる色彩温度が予め実験によりドレッシング時期に到ったと定めた色彩温度と定めた色彩温度域に達したときを砥石車のドレッシング時期と決定する。【選択図】  図１
2005138227.tif 000002
【特許請求の範囲】
【請求項１】
左右方向（Ｘ軸方向）に移動可能なＸ軸テ−ブル上に載置されたワ−クと、前後方向（Ｙ軸方向）に移動可能で、かつ、上下方向（Ｚ軸方向）に昇降可能に備えられた砥石頭に保持された砥石車の相対的な移動によりワ−クを研削加工する研削装置を用い、砥石車とワ−クが接する研削加工点に向けて研削液をノズルより供給しながら研削加工中の砥石車のドレッシング時期を判別する方法であって、
前記砥石車を保護する保護カバ−の前面であって、かつ、前記研削加工点近傍の保護カバ−前面に貼付されたサ−モグラフペ−パ−に現れる色彩温度が予め実験によりドレッシング時期に到ったと定めた色彩温度と定めた色彩温度域に達したときを砥石車のドレッシング時期と決定することを特徴とする、砥石車のドレッシング時期を判別する方法。
【発明の詳細な説明】
【技術分野】
【０００１】
本発明は、ワ−ク表面に研削液を供給しながら回転している砥石車によりワ−クを研削している砥石車のドレッシング時期を判別する方法に関する。
【背景技術】
【０００２】
ワ−ク表面に研削液を供給しながら回転している砥石車によりワ−クを研削している砥石車のドレッシング時期を判別する方法としては、従来、ワ−クの振動を振動計により監視し、この振動の大小を予め実験により砥石車のドレッシング時期と定めていた振幅域に達したら砥石車のドレッシング時期として判断し、ダイヤモンドドレッサを用いて砥石車のドレッシングを行っていた（例えば、特許文献１および特許文献２参照。）。
【特許文献１】特開平５−５７６０８号公報
【特許文献２】特許第２７８６８４２号公報
【発明の開示】
【発明が解決しようとする課題】
【０００３】
前記特許文献１および特許文献２に記載される砥石車のドレッシング時期の判別方法は、高価な振動計が必要とされる。本発明は、振動計に代えて温度により色彩が変化するサ−モグラフペ−パ−を用い、砥石車のドレッシング時期を判別する方法を提供するものである。
【課題を解決するための手段】
【０００４】
請求項１の発明は、左右方向（Ｘ軸方向）に移動可能なＸ軸テ−ブル上に載置されたワ−クと、前後方向（Ｙ軸方向）に移動可能で、かつ、上下方向（Ｚ軸方向）に昇降可能に備えられた砥石頭に保持された砥石車の相対的な移動によりワ−クを研削加工する研削装置を用い、砥石車とワ−クが接する研削加工点に向けて研削液をノズルより供給しながら研削加工中の砥石車のドレッシング時期を判別する方法であって、
前記砥石車を保護する保護カバ−の前面であって、かつ、前記研削加工点近傍の保護カバ−前面に貼付されたサ−モグラフペ−パ−に現れる色彩温度が予め実験によりドレッシング時期に到ったと定めた色彩温度と定めた色彩温度域に達したときを砥石車のドレッシング時期と決定することを特徴とする、砥石車のドレッシング時期を判別する方法を提供するものである。
【発明の効果】
【０００５】
研削作業者は、砥石車保護カバ−前面に貼付されたサ−モグラフペ−パ−の色彩の変化を作業中に確認できる。
【発明を実施するための最良の形態】
【０００６】
（実施例）
以下、図を用いて本発明をさらに詳細に説明する。
図１は本発明の実施に用いる研削装置の斜視図、図２は本発明の実施に用いる別の態様を示す研削装置の要部を示す正面図である。
【０００７】
図１に示す研削装置１において、２はワ−ク、３は砥石車、４は水平方向（Ｘ軸方向）に往復移動可能なテ−ブル、５は作業台部、６は電磁チャック、７は前後方向（Ｚ軸方向）に往復移動可能なサドル、８は操作盤、８ａは砥石の切り込み開始点位置検出Ｏｎ−Ｏｆｆスィッチ、８ｂは砥石上下切り込み手動パルス発生器ボタン、９はコラム、１０は砥石頭、１１は砥石軸、１７は砥石車保護カバ−、２０はサ−モグラフペ−パ−、３０は研削液供給ノズルである。
【０００８】
回転している砥石車３は、研削装置１の前面に設けた手パハンドル（図示されていない）を廻すか操作盤８の砥石昇降ボタン８ｂを押すことによりワ−ク２の表面から約１ｍｍくらいの位置に急速（１〜１００ｍ／分）に接近される。ついで、砥石昇降ボタンを押すことにより砥石３の接近速度を０．１〜０．０１ｍ／秒とし、ワ−ク２の表面から０．０１〜１ｍｍくらいの位置に下降させる。図示されていない昇降手段のモ−タを駆動させることにより回転している砥石車の保護カバ−１７の外側に備えられたノズル３０は、砥石車の下降とともにワ−クに近づき、砥石車の上昇とともにワ−クより遠ざかる構造となっている。ノズル３０は、テ−ブル４上の電磁チャック６に固定されたワ−ク２の表面に研削液を噴射する。ノズル３０の研削液噴射角度は砥石車３の研削加工点に研削液が届くよう設けられる。
【０００９】
砥石車３とワ−ク２の相対的移動によりワ−クが研削され始めると研削加工点にノズル３０より供給された研削液の温度はワ−ク２と砥石車３の摩擦熱により上昇する。しかし、一定量の研削液を供給し、ワ−クの移動速度、砥石車の移動速度を一定の条件下で行う場合、常時研削液は供給されるのである温度に達すると温度の変化の幅は小さくなりほぼ一定の温度を示すようになる。しかし、ワ−クの研削数が多くなったり、大きなワ−クを連続して研削するにつれて砥石車の砥面の砥石粒が脱落し、砥石車の切れ味が低下し、研削加工点の研削液の温度は上昇する。ワ−クおよび研削液の熱は、砥石軸の回転により発生した熱も含め砥石車の保護カバ−に伝導および輻射され保護カバ−温度も変化する。
【００１０】
よって、より研削加工点に近い温度を検出するためにサ−モグラフペ−パ−２０は研削加工点近傍の保護カバ−前面に貼付される。研削作業者は、このサ−モグラプペ−パ−２０に現れる色彩温度が予め実験によりドレッシング時期に到ったと定めた色彩温度と定めた色彩温度域に達したときを砥石車のドレッシング時期と判断する。
【００１１】
サ−モグラフペ−パ−２０は、米国特許第４８７３１１３号明細書に記載されるように温度により色を変化させる液晶または色素をマイクロカプセル化した粒子をバインダにより基材（樹脂フィルム、紙、金属シ−ト）にコ−ティングしたもので、温度に応じて紫、群青、深緑、緑、黄緑、黄、橙、赤等の色彩に変化する。よって、研削作業者は、予め実験により例えば橙色が呈示されたときがドレッシング時期と把握しているときは、サ−モグラフペ−パ−２０が橙色を呈示したのを見識したときに砥石車のドレッシングの準備に取りかかることができる。短冊状のサ−モグラフペ−パ−２０は、例えばソニ−株式会社より入手できる。
【００１２】
ドレッシング時期を自動的に認識し、ドレッサに砥石車をドレッシングさせるには、図２に示す遠赤外サ−モグラフィ４０を用い、サ−モグラプペ−パ−２０の温度変化を遠赤外サ−モグラフィ４０の温度センサ４１で自動的に読み取り、この温度センサが読み取った温度アナログ信号ｔｉ℃をキャリア４２でコンピュ−タ４３内のＡ／Ｄコンバ−タでデジタル信号に変えて記録部（ＲＯＭ）に送信し、予め実験によりドレッシング時期と定めた色彩温度ｔｋ℃と予め実験により定めたドレッシング時期の色彩温度差域Ｄを記録しているメモリ−（ＲＯＭ）の値からその温度差（ｔｉ−ｔｋ）を演算部で算出し、その差の値が色彩温度差域に達したらコンピュ−タの出力部よりドレッシングの警告信号を警報機器に出力するとともに、研削装置の砥石車３を軸承する砥石軸のエンコ−ダにドレッシング信号を送信することにより自動的にドレッシングを実施する。この自動温度センサを備える遠赤外サ−モグラフィ４０はソニ−株式会社より入手できる。なお、サ−モグラフィ４０は遠赤外線放射測定カメラでサ−モグラプペ−パ−２０の色彩温度変化を読み取る非接触式のものであってもよいが、砥石車が昇降、前後移動されるためカメラに追尾装置が必要とされ、接触式のものと比較して付属機器が割高となる。
【産業上の利用可能性】
【００１３】
本発明の砥石車のドレッシング時期判別方法は、砥石車の保護カバ−前面に安価なサ−モグラフペ−パ−を貼付し、研削作業者がそのサ−モグラフペ−パ−の色彩変化を見て経験則に基づいてドレッシング時期を判断できるので、既存の研削装置にサ−モグラフペ−パ−を貼付するという極めて安価な投資で本発明を実施できる。
【図面の簡単な説明】
【００１４】
【図１】本発明の実施に用いる研削装置の斜視図である。
【図２】本発明の実施に用いる別の態様を示す研削装置の要部を示す正面図である。
【符号の説明】
【００１５】
１    研削装置
２    ワ−ク
３    砥石車
４    テ−ブル
５    ド−ム天井板
１７  保護カバ−
２０  サ−モグラフペ−パ−
３０  研削液供給ノズル
４０  サ−モグラフイ
【図１】
2005138227.tif 000003
【図２】
2005138227.tif 000004